(57)【要約】【課題】  クランク軸で回転駆動されるクランクアームの先端部を刈刃に備えたナイフヘッドに係合し、クランクアームを一定方向に回転駆動することで刈刃を一定ストロークで往復作動させるよう構成した収穫機の刈取り装置において、正転バランサと逆転バランサの合理的な改良によって振動軽減機能を一層高める。【解決手段】  クランクアーム２３と一体に回転する正転バランサ３６を装備するとともに、正転バランサ３６と同調して逆方向に回転する逆転バランサ３７を装備し、クランクアーム２３が刈刃のストロークエンドをもたらす横向き回転位相に到達した時点で、逆転バランサ３７がクランクアーム２３と逆向きの横向き回転位相を所定の角度αだけ先行して通過しているように、クランクアーム２３に対する逆転バランサ３７の回転位相を設定してある。【選択図】        図６
2006262873.tif 000002
【特許請求の範囲】
【請求項１】
クランク軸で回転駆動されるクランクアームの先端部を刈刃に備えたナイフヘッドに係合し、クランクアームを一定方向に回転駆動することで前記刈刃を一定ストロークで往復作動させるよう構成した収穫機の刈取り装置において、
前記クランクアームと一体に回転する正転バランサを装備するとともに、前記クランク軸と同調して逆方向に回転する逆転バランサを装備し、
前記クランクアームが刈刃のストロークエンドをもたらす横向き回転位相に到達した時点で、前記逆転バランサがクランクアームと逆向きの横向き回転位相を所定の角度だけ先行して通過しているように、クランクアームに対する逆転バランサの回転位相を設定してあることを特徴とする収穫機の刈取り装置。
【請求項２】
前記逆転バランサが先行回転する前記角度を１０°〜３０°に設定してある請求項１記載の収穫機の刈取り装置。
【請求項３】
前記クランクアームが刈刃のストロークエンドをもたらす横向き回転位相に到達した時点で、前記正転バランサがクランクアームと逆向きの横向き回転位相を所定の角度だけ先行して通過しているように、クランクアームに対する正転バランサの回転位相を設定してある請求項１または２記載の収穫機の刈取り装置。
【請求項４】
前記クランク軸と前記逆転バランサを同芯に配備してある請求項１〜３のいずれか一項に記載の収穫機の刈取り装置。
【発明の詳細な説明】
【技術分野】
【０００１】
本発明は、コンバインやバインダなどの収穫機に備えられる刈取り装置に関する。
【背景技術】
【０００２】
一般に、収穫機の刈取り装置には刈刃をクランク機構を介して往復作動させるバリカン型の刈取り装置が多用されており、刈刃の往復移動に伴う振動を軽減するために回転バランサ機構が導入されており、この回転バランス機構として、例えば、特許文献１に示されているように、刈刃に係合されるクランクアームを回転駆動するクランク軸にクランクアームと逆位相となる正転バランサを備えるとともに、クランク軸と同調して逆回転する回転軸に逆転バランサを装備し、クランクアームが横向きとなる刈刃ストロークエンドにおいて正転バランサと逆転バランサとがクランクアームに対して逆位相に位置することで刈刃の作動反転に伴う横向きの振動衝撃を軽減し、かつ、クランクアームが下向きあるいは上向きにある位相においては正転バランサと逆転バランサとを互いに逆の位相に位置させてバランサ自体の回転による上下方向での振動を相殺するようにしている。
【特許文献１】特開２０００−２２４９１０号公報
【発明の開示】
【発明が解決しようとする課題】
【０００３】
上記バランサ機構によると、刈刃ストロークエンドにおける振動衝撃のみならず上下振動を軽減するのに有効となるものであるが、刈刃とクランクアームとの係合位置や刈刃の横スライド案内構造、などによっては必ずしも振動軽減効果が充分発揮されない場合があることが知見された。
【０００４】
本発明は、このような点に着目してなされたものであって、正転バランサと逆転バランサの合理的な改良によって振動軽減機能を一層高めることができる刈取り装置を提供することを目的としている。
【課題を解決するための手段】
【０００５】
第１の発明は、クランク軸で回転駆動されるクランクアームの先端部を刈刃に備えたナイフヘッドに係合し、クランクアームを一定方向に回転駆動することで前記刈刃を一定ストロークで往復作動させるよう構成した収穫機の刈取り装置において、
前記クランクアームと一体に回転する正転バランサを装備するとともに、前記クランク軸と同調して逆方向に回転するカウンタ回転軸に逆転バランサを装備し、
前記クランクアームが刈刃のストロークエンドをもたらす横向き回転位相に到達した時点で、前記逆転バランサがクランクアームと逆向きの横向き回転位相を所定の角度だけ先行して通過しているように、クランクアームに対する逆転バランサの回転位相を設定してあることを特徴とする。
【０００６】
上記構成によると、クランクアームが刈刃のストロークエンドをもたらす横向き回転位相に到達する前に、正転バランサと逆転バランサとが横向きの同位相になり、刈刃がストロークエンドに達して発生する衝撃が早いタイミングで吸収される。
【０００７】
その結果、第１の発明によると、逆転バランサを先行角度なく備える場合に比べて振動軽減機能を高めることができた。
【０００８】
第２の発明は、上記第１の発明において、
前記逆転バランサが先行回転する前記角度を１０°〜３０°に設定してあるものである。
【０００９】
上記構成によると、振動軽減機能が顕著なものとなり、第１の発明の効果を有効に発揮させることができる。
【００１０】
第３の発明は、上記第１または２の発明において、
前記クランクアームが刈刃のストロークエンドをもたらす横向き回転位相に到達した時点で、前記正転バランサがクランクアームと逆向きの横向き回転位相を所定の角度だけ先行して通過しているように、クランクアームに対する正転バランサの回転位相を設定してあるものである。
【００１１】
上記構成によると、正転バランサと逆転バランサとが横向きの同位相になるタイミングが、クランクアームが刈刃のストロークエンドをもたらす横向き回転位相に到達するタイミングより一層早くなる。
【００１２】
第４の発明は、上記第１〜３のいずれか一つの発明において、
前記クランク軸と前記逆転バランサを同芯に配備してあるものである。
【００１３】
上記構成によると、逆転バランサをクランク軸と平行な別軸を介して装備する場合に比べてバランサ機構を小型化できる。
【発明を実施するための最良の形態】
【００１４】
図１に、収穫機の一例である２条刈り仕様の自脱型コンバインの前部側面が示されている。この刈取り部１は、植立作物を左右一対の引起し装置２で所定姿勢に引起し、その株元をバリカン型の刈取り装置３で切断し、刈取った作物を左右一対の補助搬送ベルト４および回転パッカー５で刈り幅中央側に掻き込み合流し、合流した作物を供給搬送装置６によって後方上方に向けて挟持搬送し、脱穀装置７のフィードチェーン８に横倒れ姿勢で受け渡すよう構成されたものであり、本発明は、前記刈取り装置３を以下のように構成している。
【００１５】
図２および図３に、前記刈取り装置３の平面図および縦断側面図がそれぞれ示されている。この刈取り装置３は刈取り部１の下端部に並列配備された３本の分草フレーム１１の上方に亘って横架装着されており、左右両端の分草フレーム１１に亘って連結された受刃台１２、この受刃台１２の上面にカシメ付け固定された受け刃１３、受け刃１３の上面に沿って左右スライド可能に配備された刈刃１４、この刈刃１４を左右に一定ストロークで往復駆動するクランク機構１５、等を備えて構成されている。
【００１６】
前記刈刃１４は、略三角形状に形成された多数の切刃片１４ａを横長のナイフバー１４ｂにカシメ付け連結して構成されており、受け刃１３の後端と受刃台１２の上面左右複数箇所に連結固定された摺接案内部材１６との間に前記ナイフバー１４ｂが左右スライド可能に案内係合されている。そして、各摺接案内部材１６に上面にバネ板材からなるナイフクリップ１７が共締めで装着され、このナイフクリップ１７の遊端部が前記刈刃１４の上面に弾圧されて刈刃１４の浮き上がりが阻止されている。
【００１７】
刈刃駆動用の前記クランク機構１５は、刈取り部フレームに連結固定された刈刃駆動ケース２１、この刈刃駆動ケース２１に前後方向に向かう軸心ｐに沿って支承されたクランク軸２２、クランク軸２２の前端に固着された正面視円形のクランクアーム２３、クランクアーム２３の先端部に遊転自在に装着されたローラ２４、等で構成されており、このローラ２４が前記刈刃１４の上面適所に連結したナイフヘッド１８の縦長案内部１８ａに後方から係入されている。このように構成されたクランク機構１５は、クランク軸２２が一定方向へ回転されるのに伴ってローラ２４が軸心ｐを中心として偏芯距離ｒの半径で公転移動することで、このローラ２４にナイフヘッド１８を介して係合された刈刃１４が前記偏心距離ｒの２倍のストロークで左右に往復駆動されるようになっている。
【００１８】
前記クランク軸２２の前部にはベベルギヤ２５がスプライン外嵌されるとともに、このベベルギヤ２５が刈刃駆動ケース２１の前壁部にベアリング２６を介して支承されている。また、刈刃駆動ケース２１の後壁部にはクランク軸２２の軸心ｐと同芯にベベルギヤ２７がベアリング２８を介して支承されており、このベベルギヤ２８の中心孔にクランク軸２２の後部がニードルベアリング２９を介して相対回転可能に支承されている。
【００１９】
クランク軸２２の前後に同心状に配備された一対のベベルギヤ２５，２７は同歯数に構成されており、両ベベルギヤ２５，２７が刈刃駆動ケース２１の側壁部にベアリング３０を介して支承された大径ベベルギヤ３１に咬合されている。また、この大径ベベルギヤ３１の中心には小径ベベルギヤ３２が一体回転可能に装備されており、この小径ベベルギヤ３２に咬合する駆動ベベルギヤ３３が刈刃駆動ケース２１の上壁部にベアリング３４を介して支承されるとともに、この駆動ベベルギヤ３３から上方向けて延出された刈刃駆動軸３５が図外上方において引起し駆動系に連動連結されている。
【００２０】
なお、前記刈刃駆動軸３５は、右側の補助搬送ベルト４の駆動プーリ１９および回転パッカー５を備えた筒軸２０に挿通されており、この筒軸２０も図外上方において引起し駆動系に連動連結されて低速で回転駆動されるようになっている。また、前記小径ベベルギヤ３２および大径ベベルギヤ３１に連結された伝動軸４０が横架され、この伝動軸４０によって取り出された動力で左側に引起し装置２が駆動されるようになっている。
【００２１】
上記のように構成された刈刃駆動構造には、刈刃１４の左右往復移動に伴って発生する振動を軽減するために以下のようなバランサ構造が付加されている。
【００２２】
正面視円形に形成された前記クランクアーム２３には前記ローラ２４と逆位相に位置するように扇形の正転バランサ３６が一体形成されるとともに、刈刃駆動ケース２１の後部側において前記ベベルギヤ２７の軸部に正面視円形の逆転バランサ３７がスプライン嵌合連結されている。そして、図６（ハ），（ヘ）に示すように、クランクアーム２３のローラ２４が刈刃１４のストロークエンドをもたらす横向き回転位相に到達した時点で、前記正転バランサ３６がクランクアーム２３のローラ２４と逆向きの横向き回転位相にあり、かつ、前記逆転バランサ３７がクランクアーム２３のローラ２４と逆向きの横向き回転位相を所定の角度αだけ先行して通過しているように、クランクアーム２３に対する正転バランサ３６および逆転バランサ３７の回転位相が設定されている。
【００２３】
上記バランサ構造によると、図６（イ）に示すように、クランクアーム２３が直下方に向かう回転位相にあるとき、正転バランサ３６は直上方に向かう回転位相にあるが、逆転バランサ３７はクランクアーム２３の回転位相より所定の角度αだけ先行した回転位相にある。
【００２４】
図６（ロ）に示すように、更にクランクアーム２３が正転方向（図では反時計方向）に回転して、右向きの水平位相に到達する手前で正転バランサ３６と逆転方向（図では時計方向）に回転する逆転バランサ３７の回転位相が一致する。この時、両バランサ３６，３７の回転位相は水平位相から角度αの半分だけずれている。
【００２５】
図６（ハ）に示すように、更にクランクアーム２３が正転回転して右向きの水平位相に到達すると、正転バランサ３６が左向きの水平位相になるのに対して、逆転バランサ３７は水平位相を角度αだけ上方に越えた回転位相にある。
【００２６】
図６（ニ）に示すように、更にクランクアーム２３が正転回転して直上方に向かう回転位相に至ると、正転バランサ３６は直下方に向かう回転位相にあるが、逆転バランサ３７はクランクアーム２３の回転位相より角度αだけ先行した回転位相にある。
【００２７】
図６（ホ）に示すように、更にクランクアーム２３が回転して、左向きの水平位相に到達する手前で正転バランサ３６と逆転バランサ３７の回転位相が一致する。この時、両バランサ３６，３７の回転位相は水平位相から角度αの半分だけずれている。
【００２８】
図  ６（ヘ）に示すように、更にクランクアーム２３が回転して左向きの水平位相に到達すると、正転バランサ３６が右向きの水平位相になるのに対して、逆転バランサ３７は水平位相を所定の角度αだけ下方に越えた回転位相にある。
【００２９】
図７に、前記角度αを各種変更するとともに、刈刃駆動速度を高低に変更して空運転し、そのとき発生した振動（左右方向の振幅と振動加速度）を測定した結果が示されている。なお、振動測定箇所は引起し装置２の上部における振動を測定したものであり、また、図表中の振幅は最大値と最小値が併記されている。
【００３０】
上記実測結果によると、逆転バランサ３７の回転位相を角度α=+２０°（先行）に設定した条件３の場合に、角度α=±０°に設定した条件２（従来設定）の場合よりも高い振動軽減性能が発揮され、また、角度α=+４０°（先行）に設定した条件４では条件２と同程度かそれよりやや低い振動軽減性能となり、角度α=-２０°（遅れ）に設定した条件１の場合に振動軽減性能が条件２（従来設定）の場合より低くなることが認識され、逆転バランサ３７を１０°〜３０°で先行させることが振動軽減性能を高める上で有効であると推測される。
【００３１】
〔他の実施例〕
【００３２】
（１）図８に示すように、逆転バランサ３７を上記のように先行回転させるともに、前記正転バランサ３６をクランクアーム２３の位相に対する逆位相からクランク軸回転方向に対して所定の角度βだけ先行させて実施することもできる。
【００３３】
（２）図９に示すように、正転バランサ３６を備えたクランク軸２２と逆転バランサ３７を備えた逆転バランス軸３８とを軸心を平行にずらして配置することもできる。
【図面の簡単な説明】
【００３４】
【図１】コンバインの前部を示す側面図
【図２】刈取り装置の平面図
【図３】刈刃駆動構造の縦断側面図
【図４】刈刃駆動構造の横断平面図
【図５】刈刃駆動構造の要部を示す正面図
【図６】バランサの作動説明図
【図７】振動実測結果を示す図表
【図８】バランサの別実施例を示す概略正面図
【図９】刈刃駆動構造の別実施例を示す横断平面図
【符号の説明】
【００３５】
１４                刈刃
１８                ナイフヘッド
２２                クランク軸
２３                クランクアーム
３６                正転バランサ
３７                逆転バランサ
α                  角度
β                  角度
【図１】
2006262873.tif 000003
【図２】
2006262873.tif 000004
【図３】
2006262873.tif 000005
【図４】
2006262873.tif 000006
【図５】
2006262873.tif 000007
【図６】
2006262873.tif 000008
【図７】
2006262873.tif 000009
【図８】
2006262873.tif 000010
【図９】
2006262873.tif 000011